(57)【特許請求の範囲】
【請求項１】
引戸１の框に取付けられかつ引戸側リード線７を介して電気錠２に接続される磁石一体型の固定電極２０と、戸枠３に取付けられかつ電極収納ガイド部３５を有する支持ボックス３０と、この支持ボックス内に移動可能に設けられていると共に、支持ボックス３０に設けられたバネ部材４１のバネ力により常時後退方向に付勢されかつ制御盤４側のリード線１０と接続される磁石一体型の可動電極４０とから成り、前記可動電極４０は、固定電極２０の磁石２１の極性に対応して該固定電極２０に吸着する磁石４２を有する接触部４３と、この接触部４３の一側面から支持ボックス３０のガイド小孔３６を貫通して該支持ボックス３０のリード線用空間部３７へと延びるガイドバー４４と、このガイドバー４４の突出上端部に設けられたストッパー４５とから構成され、引戸１の閉鎖時に、前記可動電極４０は、支持ボックス３０の電極収納ガイド部３５からバネ部材４１のバネ力に抗して飛び出して扁平状の接触面を有する固定電極２０に吸着することを特徴とする引戸用通電金具。
【請求項２】
請求項１に於いて、引戸の開放時に、固定電極の扁平状の接触部分が可動電極に対してスライドすることを特徴とする引戸用通電金具。
【請求項３】
請求項１に於いて、固定電極２０は框内に固定的に設けられた絶縁性ケース２２に内装されていることを特徴とする引戸用通電金具。
【請求項４】
請求項１に於いて、固定電極２０Ａと可動電極４０Ａとの取付け位置を変え、引戸１Ａの框に引戸側リード線７と接続する磁石一体型の可動電極４０Ａを備えた支持ボックス３０Ａが取付けられ、一方、戸枠３Ａに制御盤４側のリード線１０と接続する磁石一体型の固定電極２０Ａが取付けられていることを特徴とする引戸用通電金具。
【請求項５】
請求項１に於いて、固定電極２０Ｂは、内部や側面に磁石を有しない単なる導電性金属部材であることを特徴とする引戸用通電金具。
【請求項６】
請求項１に於いて、可動電極４０Ｂの接触部４３Ｂは、内部や側面に磁石を有しない単なる導電性金属部材であることを特徴とする引戸用通電金具。
【発明の詳細な説明】
【０００１】
【発明の属する技術分野】
本発明は、引戸に設けられた電気錠側のリード線と、前記電気錠に低電圧の電力を送る為に戸枠側に設けられた制御盤（操作盤）側のリード線とを通電するための引戸用通電金具に関する。この引戸用通電金具は、特に引戸の閉鎖時に通電状態になり、一方、引戸を開放した場合に非通電状態になる引戸用通電金具に関する。
【０００２】
【従来の技術】
従来、本発明に最も近い引戸用通電金具の一例は、実公平３−１２１２８号公報に記載されている。この公報に記載の実施例は、基本的には引戸の上框に枢支箱介して取付けられ、かつ、引戸側リード線を介して電気錠に接続される三味線のばち状可動接触板と、一方、戸枠の上枠に前記可動接触板の爪状突出部に対向するように絶縁性取付け金具を介して設けられ、かつ、制御盤側のリード線と接続されるＬ字状固定接触板とから構成されている。
【０００３】
しかして、前記可動接触板は、枢支箱に内装されたバネ部材のバネ力により、その爪状突出部が常時枢支箱の上部窓から突出するように付勢され、引戸の閉鎖時に、引戸側の可動接触板が戸枠側の固定接触板にスライド接触することにより通電状態となる。
【０００４】
しかしながら、上記構成に於いては、次に列挙するような欠点があった。
（１）可動接触板並びに固定接触板の取付け箇所が限定される。すなわち、可動接触板は固定接触板に対して水平方向にスライド移動して接触するので、これらの接触部材は、機能性、安全性、結線の容易性等を考慮すると、引戸の上框の戸先側とこれに対向する戸枠の上枠の特定箇所に取付けなければならない。したがって、例えば制御盤側のリード線の接続端部が電線管を介して戸枠の「たて枠上部内」に案内されている場合には使用に適さない。
（２）可動接触板及び固定接触板の取付けが容易でない。すなわち、引戸の上框の上端面とこれに対向する戸枠の上枠の内壁面との間の間隙（スキマ）がどの程度であるか、また引戸の開閉の際に可動接触板の爪状突出部が戸枠の上枠の内壁面をスライドしないようにするためには、枢支箱の上部窓から突出する爪状突出部の突出量をどの程度にするか等の事情を考慮し、しかも、可動接触板と固定接触板との接触不良が生じないように、両接触板を精度良く取付けることが要求される。したがって、いわゆる「アバウトの感覚」で可動接触板や固定接触板を取付けることができない。それ故に、作業員はある程度の熟練を要する。
（３）可動接触板の爪状突出部が邪魔をし、引戸を容易に取り外すことができない。すなわち、可動接触板は、枢支箱に内装されたバネ部材のバネ力により、その爪状突出部が枢支箱の上部窓から常時突出するように付勢されているので、通電金具の点検や修理の際に引戸を戸枠から容易に取り外すことができない。
【０００５】
【発明が解決しようとする課題】
本発明は以上のような従来の問題点に鑑み、第１の目的は通電金具を引戸の上框と戸枠の上枠のみならず、戸枠の「たて枠上部内」と引戸の「縦框」にも取付けることができることである。第２の目的は作業員がある程度の熟練を要しなくても、いわゆる「アバウトの感覚」で通電金具を取付けることができることである。第３の目的は通電金具の点検や修理の際に引戸を戸枠から容易に取り外すことができることである。第４の目的は引戸の閉鎖時に於ける磁場を極力強くし、或いは固定電極と可動電極との互いの接触面積を大きくし、よって、引戸の閉鎖状態、或いは引戸と戸枠とのスキマ等の事情により、固定電極と可動電極との接触不良が生じないようにすることである。第５の目的は組立てが容易である、故障率が少ない、耐久性に富む等の利点を期待することができることである。
【０００６】
【課題を解決するための手段】
本発明の引戸用通電金具は、引戸１の框に取付けられかつ引戸側リード線７を介して電気錠２に接続される磁石一体型の固定電極２０と、戸枠３に取付けられかつ電極収納ガイド部３５を有する支持ボックス３０と、この支持ボックス内に移動可能に設けられていると共に、支持ボックス３０に設けられたバネ部材４１のバネ力により常時後退方向に付勢されかつ制御盤４側のリード線１０と接続される磁石一体型の可動電極４０とから成り、前記可動電極４０は、固定電極２０の磁石２１の極性に対応して該固定電極２０に吸着する磁石４２を有する接触部４３と、この接触部４３の一側面から支持ボックス３０のガイド小孔３６を貫通して該支持ボックス３０のリード線用空間部３７へと延びるガイドバー４４と、このガイドバー４４の突出上端部に設けられたストッパー４５とから構成され、引戸１の閉鎖時に、前記可動電極４０は、支持ボックス３０の電極収納ガイド部３５からバネ部材４１のバネ力に抗して飛び出して扁平状の接触面を有する固定電極２０に吸着することを特徴とする引戸用通電金具。
【請求項２】
請求項１に於いて、引戸の開放時に、固定電極の扁平状の接触部分が可動電極に対してスライドすることを特徴とする。
【０００７】
上記構成に於いて、引戸の開放時に、固定電極の扁平状の接触部分が可動電極に対してスライドすることを特徴とする。また、固定電極２０は框内に固定的に設けられた絶縁性ケース２２に内装されている。
【０００８】
また、可動電極４０Ａと固定電極２０Ａの取付け場所を入れ替え、引戸１Ａの框に引戸側リード線７と接続する磁石一体型の可動電極４０Ａを備えた支持ボックス３０Ａを取付け、一方、戸枠３Ａに制御盤４側のリード線１０と接続する磁石一体型の固定電極２０Ａを取付けていることを特徴とする。
【０００９】
さらに、上記構成に於いて、固定電極２０Ｂは、内部や側面に磁石を有しない単なる導電性金属部材であり、又は可動電極４０Ｂの接触部４３Ｂは、内部や側面に磁石を有しない単なる導電性金属部材であることを特徴とする。
【００１０】
【発明の実施の形態】
以下、図面に示す本発明の実施の形態を第１実施例の引戸用通電金具Ｘの例で説明する。
【００１１】
まず図１は引戸用通電金具Ｘの使用状態の概略説明図である。図１に於いて、１は引戸、２は引戸の開放側縦框の中央部に内装された電気錠、３は戸枠、４は建物の室内に設置された制御盤である。引戸用通電金具Ｘは、例えば前記引戸１の上框１ａと、この上框１ａと対向する戸枠３の上枠６とにそれぞれ取付けられている。おな、本実施例の引戸用通電金具Ｘは、引戸１の縦框１ｂと、この縦框１ｂに対向する戸枠３のたて枠８にも取付けが可能であるが、前述した従来の実施例との対比との関係を考慮し、前者の例で説明する。
【００１２】
しかして、前記引戸１は片引戸でも良いが、本実施例では両方が開放可能な引き違い式引戸であり、また電気錠２は引戸用通電金具Ｘと引戸側リード線７を介して電気的に接続され、かつ、その係合錠杆２ａは戸枠３のたて枠８内に設けられた受け金具９と係脱する。また制御盤４は前記引戸用通電金具Ｘと制御盤側リード線１０を介して電気的に接続している。
【００１３】
ところで、制御盤４は商業用交流電源１１、室内外に設置されたテンキーや施解錠手段等の入力部１２と電気的に接続している。また制御盤側リード線１０は、一般的に電気錠２が施錠又は解錠の際に起電力の方向に変化が生じるロータリソレノイドを採用しているために、施錠信号用リード線１０ａと、解錠信号用リード線１０ａとに区別されている。
【００１４】
次に図２乃至図６は引戸用通電金具Ｘの具体的構成を示した各説明図である。これらの各図に於いて、２０は引戸１の上框１ａに間隔を有して設けられた複数個（実施例では２個）の固定電極である。これらの固定電極２０は、それぞれ内部に磁石２１を有し、前述した引戸側リード線７を介して電気錠２に接続される。固定電極２０は導体なので、望ましくは上框１ａ内に固定的に設けられた絶縁性ケース２２に内装されている。この場合絶縁性ケース２２に代えて絶縁板、絶縁枠等の絶縁部材を上框１ａと固定電極２０に介在させても良い。また絶縁性ケース２２は、上框１ａが木材の場合には固定電極２０を上框１ａに形成した凹所に直接嵌め込めば良いので、必ずしも必要ない。
【００１５】
固定電極２０の大きさや形状は、特に問わないが、望ましくは上框１ａの長さ方向（引戸の開閉方向）に長くし、また後述の可動電極４０の接触面と大きく面接触するようにその接触面を偏平状にすべきである。また前記可動電極４０が引戸の上框１ａに接触しないように望ましくは上框１ａの上端面から多少突出するように絶縁ケース２２に内装すべきである。さらに固定電極２０の取付け位置は、可動電極４０の取付け箇所に対応せざるを得ないが、固定電極２０が導電性の金属であること、引戸側リード線７と電気錠側の電線との結線の容易性等を考慮し、望ましくは引戸１の上框１ａの引戸開放側端部にすべきである。
【００１６】
次に３０は戸枠１の上枠６に取付けられた絶縁性の支持ボックスである。この支持ボックス３０は固定電極２０に対向するように望ましくは上枠６内に嵌め込まれ、固着具３１を介して上枠６に固着される。
【００１７】
しかして、支持ボックス３０は、本実施例では固着具３１が係合するネジ孔３２を有する取付けフランジ部３３と、この取付けフランジ部３３に連設する嵌合ボックス部３４とから成り、前記嵌合ボックス部３４には取付けフランジ部３３から奥（縦）方向に形成された複数個の電極収納ガイド部３５が形成されている。これらの電極収納ガイド部３５は、間隔を有して２個設けられている。また嵌合ボックス部３４には２個の電極収納ガイド部３５とそれぞれガイド小孔３６、３６を介して連通するリード線用空間部３７が形成され、前述した制御盤側のリード線１０ａ、１０ｂと結線するためのリード線導入窓３８が形成されている。
【００１８】
なお、支持ボックス３０の上壁３０ａは、制御盤側のリード線１０との結線の便宜性を考慮して取り外し可能になっているが、この上壁３０ａはリード線の結線方法如何によっては必ずしも設ける必要はない。
【００１９】
次に４０は支持ボックス３０に移動可能に設けられ、かつ、電極収納ガイド部３５に内装されたバネ部材４１のバネ力により常時後退（上）方向に付勢された複数個の可動電極である。この可動電極４０は、前記バネ部材４１により電極収納ガイド部３５内の方向へ常時付勢されているので、引戸１の開放時にはバネ部材４１のバネ力により電極収納ガイド部３５内に後退し、一方、引戸１の閉鎖時にはバネ部材４１のバネ力に抗して電極収納ガイド部３５内から飛び出し、前述した固定電極２０にそれぞれ接触する。
【００２０】
しかして、可動電極４０は、内部に固定電極２０の磁石２１の極性に対応して該固定電極２０に吸着する磁石４２を有する角柱状接触部４３と、この角柱状接触部４３の一側面（上面）からガイド小孔３６を貫通してリード線用空間部３７へと延びるガイドバー４４と、このガイドバー４４の突出上端部（端子部）寄りの部位に周設されたフランジ状ストッパー４５とから構成され、前記ガイドバー４４の突出上端部には制御盤側のリード線１０ａ、１０ｂがそれぞれ結線されている。
【００２１】
そして、前述したバネ部材４１の上端部は支持ボックス３０のガイド小孔３６の縁部に、一方、その下端部は可動電極４０の接触部４３の一側面にそれぞれ適宜に取付けられている。
【００２２】
上記構成に於いて、図２及び図３が引戸１の閉鎖時の通電状態を示す各説明図である。この場合引戸１の２個の固定電極２０は、支持ボックス３０内の２個の可動電極４０の下方へと入り込んで来るので、これらの可動電極４０は、それぞれバネ部材４１のバネ力に抗して各電極収納ガイド部３５内から飛び出し、対向する固定電極２０にそれぞれ吸着する。したがって、制御盤４からリード線１０、引戸用通電金具Ｘ、リード線７をそれぞれ介し、電気錠２へと施錠信号又は解錠信号を送ることが可能になる。
【００２３】
一方、図４及び図５が引戸１の開放時の非通電状態を示す各説明図である。例えば引戸１の閉鎖中に電気錠２へ解錠信号用リード線１０ｂ、引戸用通電金具Ｘ等を介して解錠信号が送られると、電気錠２の係合錠杆２ａは受け金具７から外れる。そこで、引戸１を開放すると、２個の固定電極２０は支持ボックス３０側の飛び出し中の可動電極４０からスライドしなから次第に離れる。そうすると、２個の可動電極４０は、それぞれバネ部材４１により各電極収納ガイド部３５内へと後退する。
【００２４】
【実施例】
図２乃至図６の第１実施例に於いて、可動電極４０を備えた支持ボックス３０を戸枠３のたて枠８の上部内に取付け、一方、固定電極２０を前記可動電極４０に対向するように引戸１の縦框１ｂ内に固定しても良い。
【００２５】
また固定電極２０は磁石２１を内蔵しているが、必ずしも磁石２１を内蔵する必要はなく、例えば固定電極２０の上面に設けても良い。要は固定電極２０と磁石２１は一体型であれば良い。この点は可動電極４０とその磁石４２との関係も同様である。
【００２６】
また電極収納ガイド部３５に内装されたバネ部材４１は、必ずしも該電極収納ガイド部３５に設ける必要はなく、例えば支持ボックス３０のリード線用空間部３７に内装し、バネ部材の上端部を支持ボックス３０の上壁３０ａに、一方、その下端部を可動電極４０の突出上端部、或いはストッパー４５にそれぞれ取付けても良い。
【００２７】
また図７で示すように支持ボックス３０Ａと固定電極２０Ａを入れ替え、可動電極４０Ａを備えた支持ボックス３０Ａを引戸１Ａの上框１ａに、一方、固定電極２０Ａを前記可動電極４０Ａに対向するように戸枠３Ａの上枠６ａ内に固定的に取付けても良い。この場合２個の固定電極２０Ａが嵌合している絶縁性ケース２２Ａに取付けフランジ部を形成しないのが望ましい。そうすれば絶縁性ケース２２Ａ並びに固定電極２０Ａが戸枠３Ａの上枠６ａの縁と同一水平面上に位置するので、可動電極４０Ａを備えた支持ボックス３０Ａのフランジ部３３Ａをケース・バイ・ケースによって引戸１Ａの上框１ａから突出させても良い。
【００２８】
また図８及び図９で示すように、固定電極又は可動電極の一方のみが磁石を一体的に有し、他方は単なる金属板であっても良い。すなわち、図８の実施例は、第１実施例に於いて、固定電極２０Ｂが単なる導電性の金属部材（ブロック、板等）であり、内部や側面に磁石を有しない。これに対し、図９の実施例は、第１実施例に於いて、可動電極４０Ｂの角柱状接触部４３Ｂが単なる導電性の金属部材（ブロック、板等）であり、内部や側面に磁石を有しない。
【００２９】
このように、一方が導電性の金属部材であり、他方がこの金属部材に吸着する導電性金属部材であっても、第１実施例と同様の効果を達成することができる。
【００３０】
【発明の効果】
以上の説明から明らかなように、本発明にあっては次に列挙するような効果がある。
（１）引戸の閉めると、可動電極はバネ部材のバネ力に抗して戸枠又は引戸から飛び出し、固定電極と接触する。一方、引戸を開くと、可動電極はバネ部材のバネ力により、戸枠又は引戸内に後退する。したがって、通電金具を引戸の上框と戸枠の上枠のみならず、戸枠の「たて枠上部内」と引戸の「縦框」にも取付けることができる。
（２）磁石一体型の固定電極と、この固定電極の極性に対応して吸着する磁石一体型の可動電極とを用い、かつ、一方の電極（例えば固定電極）の接触面が大きいので、作業員がある程度の熟練を要しなくても、いわゆる「アバウトの感覚」で通電金具を取付けることができる。
（３）可動電極は、引戸を開くと固定電極から離れると共に、戸枠又は引戸内の支持ボックス内に略後退する。したがって、通電金具の点検や修理の際に引戸を戸枠から容易に取り外すことができる。
（４）引戸の閉鎖時に於ける磁場を極力強くし、或いは固定電極と可動電極との互いの接触面積を大きくし、よって、引戸の閉鎖状態、或いは引戸と戸枠とのスキマ等の事情により、固定電極と可動電極との接触不良が生じないようにすることができる。つまり、引戸が多少余裕をもって閉じても、或いは引戸の上框と戸枠の上枠との間のスキマが小さくても又は大きくても接触不良が生じる恐れがない。
（５）磁石一体型の固定電極並びに可動電極を採用しているので、構成部品が少なくなる。したがって、組立てが容易である、故障率が少ない、耐久性に富む等の利点を期待することができる。
（６）なお、引戸の開放時に、固定電極が可動電極に対してスライドする場合には、各電極に付着したゴミが除去される。したがって、ゴミ付着による接触不良を防止できる。
【図面の簡単な説明】
図１乃至図６は本発明の第１実施例を示す各説明図。他の図は第１実施例の変形例を示す説明図である。
【図１】引戸用通電金具Ｘの実施の形態を示す説明図。
【図２】引戸の閉鎖時の通電状態を示す説明図。
【図３】図２の３−３線方向から見た概略説明図。
【図４】引戸の開放時の非通電状態を示す説明図。
【図５】図４の５−５線方向から見た概略説明図。
【図６】要部（可動電極を備えた支持ボックス）の説明図。
【図７】第１実施例に於いて、可動電極と固定電極の取付け位置を入れ替えた場合の説明図（第２実施例）。
【図８】第１実施例に於いて、固定電極が単なる導電性金属部材である場合の説明図（第３実施例）。
【図９】第１実施例に於いて、可動電極が単なる導電性金属部材である場合の説明図（第４実施例）。
【符号の説明】
Ｘ…引戸用通電金具、１、１Ａ…引戸、１ａ…上框、１ｂ…縦框、２…電気錠、３、３Ａ…戸枠、４…制御盤、６、６ａ…上枠、７…引戸側リード線、８…たて枠、９…受け金具、１０…制御盤側のリード線、２０、２０Ａ、２０Ｂ…固定電極、２１…固定電極の磁石、２２、２２Ａ…絶縁ケース、３０、３０Ａ…支持ボックス、３１…固着具、３５…電極収納ガイド部、３７…リード線用空間部、４０、４０Ａ、４０Ｂ…可動電極、４１…バネ部材、４２…可動電極の磁石、４３、４３Ｂ…接触部、４４…ガイドバー、４５…ストッパー。
【図１】
0003719311.tif 000002
【図２】
0003719311.tif 000003
【図３】
0003719311.tif 000004
【図４】
0003719311.tif 000005
【図５】
0003719311.tif 000006
【図６】
0003719311.tif 000007
【図７】
0003719311.tif 000008
【図８】
0003719311.tif 000009
【図９】
0003719311.tif 000010